(57)【要約】【課題】加湿ユニットを通過する空気量を増やして十分な加湿量を得ることができる空気清浄機を提供する。【解決手段】通風路１０において脱臭ユニット２３と加湿ユニット２４とが前後方向に重なって配置されていない箇所のおける空気経路中に遮断部材３０を配置することによって、空気の流れＦ３や空気の流れＦ５のように、脱臭フィルタ２３ａのみ通過して加湿フィルタ２４ａを通過しない空気流路をなくし、この空気流路を流れる空気を、空気の流れＦ３’や空気の流れＦ５’のように加湿フィルタ２４ａに導くことができる。これにより、加湿フィルタ２４ａを通過する空気量を増やして、十分な加湿量を得ることができる。【選択図】図６
2017106674.tif 000002
【特許請求の範囲】
【請求項１】
筐体内部に空気を吸い込む空気吸込口と、筐体内部から外部へ空気を吹き出す空気吹出口と、前記空気吸込口から吸い込んだ空気を前記空気吹出口へ導く通風路を備える本体部を有し、
前記通風路に、同通風路に取り込んだ空気を清浄する空気清浄ユニットと、取り込んだ空気を加湿する加湿ユニットと、送風機を備えた空気清浄機であって、
前記空気清浄ユニットが前記加湿ユニットより上流側に配置され、
前記通風路に、前記空気清浄ユニットのみ通過して下流側に向かう空気の流れの一部を遮る遮蔽部を備える、
ことを特徴とする空気清浄機。
【請求項２】
前記空気清浄ユニットの一部と前記加湿ユニットの一部が、空気の流れ方向に重ねて配置され、
前記遮蔽部は、前記空気清浄ユニットの下流側であって、前記加湿ユニットの周囲に同加湿ユニットと並べて配置される、
ことを特徴とする請求項１に記載の空気清浄機。
【請求項３】
前記遮蔽部の一部が、前記空気清浄ユニットの一部と前記加湿ユニットの一部が重ねて配置されている箇所において、前記空気清浄ユニットと前記加湿ユニットの間に配置されている、
ことを特徴とする請求項２に記載の空気清浄機。
【請求項４】
前記遮蔽部の他の一部は、前記空気清浄ユニットを前記通風路に配置するための保持部に設けた開口部より大きく形成されている、
ことを特徴とする請求項１乃至請求項３に記載の空気清浄機。
【発明の詳細な説明】
【技術分野】
【０００１】
本発明は、空気清浄機に関わり、特に加湿機能を有する空気清浄機に関する。
【背景技術】
【０００２】
従来、加湿機能を備えた空気清浄機としては、例えば特許文献１に記載のものが知られている。特許文献１に記載の空気清浄機は、吸込口と吹出口を有する本体筐体内部に、空気の流れにおける上流側（吸込口側）から下流側（吹出口側）に向かう順に、空気清浄フィルタユニット（集塵ユニットや脱臭ユニット）と、空気を加湿する気化フィルタ（加湿ユニット）と、送風ファンが配置されている。気化フィルタは、空気清浄フィルタユニットの下側の一部と重なるように配置されている。
【０００３】
上記のように、気化フィルタは空気清浄フィルタユニットの一部と重なるように配置されているため、送風ファンの回転により吸込口から本体筐体内部に取り込まれた空気は、その一部が空気清浄フィルタユニットのみを通過して除塵され、残部が空気清浄フィルタユニット、気化フィルタの順に通過して除塵・加湿される。そして、除塵のみなされた空気と除塵・加湿された空気とが、送風ファンの回転により吹出口から本体筐体外部に吹き出される。
【先行技術文献】
【特許文献】
【０００４】
【特許文献１】特開２００７−１０２３０号公報
【発明の概要】
【発明が解決しようとする課題】
【０００５】
しかし、特許文献１に記載の空気清浄機は、空気清浄フィルタユニットと気化フィルタの両方を通過する空気流路の通風抵抗の方が、空気清浄フィルタユニットのみを通過する空気流路の通風抵抗より大きくなる。従って、通風抵抗の大きい空気流路を流れる空気量、すなわち、空気清浄フィルタユニットと気化フィルタの両方を通過する空気量が少なくなるので、気化フィルタを通過する空気量が少なくなって空気の加湿量が減少するという問題があった。
【０００６】
本発明は以上述べた問題点を解決し、加湿ユニットを通過する空気量を増やして十分な加湿量を得ることができる空気清浄機を提供することを目的とする。
【課題を解決するための手段】
【０００７】
本発明は上述の課題を解決するものであって、本発明の空気清浄機は、筐体内部に空気を吸い込む空気吸込口と、筐体内部から外部へ空気を吹き出す空気吹出口と、空気吸込口から吸い込んだ空気を空気吹出口へ導く通風路を備える本体部を有し、通風路には、通風路に取り込んだ空気を清浄する空気清浄ユニットと、取り込んだ空気を加湿する加湿ユニットと、送風機を備えている。空気清浄ユニットが加湿ユニットより上流側に配置されており、通風路に、空気清浄ユニットのみ通過して下流側に向かう空気の流れの一部を遮る遮断部材を備える。
【発明の効果】
【０００８】
本発明の空気清浄機は、脱臭ユニットを通過した後加湿ユニットを通過せずに下流側に向かう空気の少なくとも一部を遮断部材によって遮り、遮断部材によって遮られた空気は加湿ユニットに流れるので、加湿ユニットを通過する空気量が増えて十分な加湿量を得ることができる。
【図面の簡単な説明】
【０００９】
【図１】本発明の実施形態における、空気清浄機の外観斜視図である。
【図２】本発明の実施形態における、空気清浄機の上面図である。
【図３】図１におけるＰ−Ｐ断面図である。
【図４】本発明の実施形態における、遮断部材の説明図であり、（Ａ）は外観斜視図、（Ｂ）は（Ａ）における矢視Ｄ図、（Ｃ）は（Ａ）における矢視Ｓ図である。
【図５】空気清浄機を後方斜めから見た要部外観斜視図である。
【図６】図５におけるＱ−Ｑ断面を拡大した図面であり、（Ａ）は遮断部材がない場合を、（Ｂ）は遮断部材がある場合を示している。
【図７】図５におけるＲ−Ｒ断面を拡大した図面であり、（Ａ）は遮断部材がない場合を、（Ｂ）は遮断部材がある場合を示している。
【発明を実施するための形態】
【００１０】
以下、本発明の実施の形態を、添付図面に基づいて詳細に説明する。尚、本発明は以下の実施形態に限定されることはなく、本発明の主旨を逸脱しない範囲で種々変形することが可能である。
【実施例】
【００１１】
図１および図２に示すように、本発明の実施形態における空気清浄機１は、各々合成樹脂材で形成された天面パネル１１ａ、右側面パネル１１ｂ、左側面パネル１１ｃ、底部１１ｄ、前面パネル１２、フロントパネル１３およびリアパネル１４で略直方体状に形成された本体部１１を有する。
【００１２】
天面パネル１１ａと前面パネル１２の上端部１２ａとフロントパネル１３の上端部１３ｅとリアパネル１４の上端部１４ｅで形成される面が本体部１１の上面である。右側面パネル１１ｂと前面パネル１２の右側端部１２ｂとフロントパネル１３の右側端部１３ｆとリアパネル１４の右側端部１４ｆとで形成される面が本体部１１の右側面である。左側面パネル１１ｃと前面パネル１２の左側端部１２ｃとフロントパネル１３の左側端部１３ｇとリアパネル１４の左側端部１４ｇとで形成される面が本体部１１の左側面である。底部１１ｄとフロントパネル１３の下端部１３ｈとリアパネル１４の下端部１４ｈとで形成される面が本体部１１の底面である。
【００１３】
尚、以降の説明において、必要に応じ本体部１１の前面パネル１２側を前面側、本体部１１のリアパネル１４側を背面側、本体部１１の右側面パネル１１ｂ側を右側、本体部１１の左側面パネル１１ｃ側を左側と称する。
【００１４】
フロントパネル１３は、前面パネル１２の前方に配置される。フロントパネル１３と前面パネル１２との間には、上下／左右に４カ所の隙間が形成される。本体部１１の上面の前方に形成される隙間が上面吸込口１３ａ、本体部１１の右側面の前方に形成される隙間が右側面吸込口１３ｂ、本体部１１の左側面の前方に形成される隙間が左側面吸込口１３ｃ、本体部１１の底面の前方に形成される隙間が底面吸込口１３ｄとされる。
【００１５】
また、本体部１１とリアパネル１４との間には、上／左右に３か所の隙間が形成される。本体部１１の上面の後方に形成される隙間が上面吹出口１４ａ、本体部１１の右側面の後方に形成される隙間が右側面吹出口１４ｂ、本体部１１の左側面の後方に形成される隙間が左側面吹出口１４ｃとされる。
【００１６】
空気清浄機１では、上面吸込口１３ａ、右側面吸込口１３ｂ、左側面吸込口１３ｃ、および底面吸込口１３ｄから本体部１１の内部に吸い込んだ空気を、上面吹出口１４ａ、右側面吹出口１４ｂ、および左側面吹出口１４ｃから部屋に吹き出す間に、空気の除塵・加湿および脱臭が行われる。
【００１７】
上面吸込口１３ａ、右側面吸込口１３ｂ、左側面吸込口１３ｃ、および底面吸込口１３ｄと、上面吹出口１４ａ、右側面吹出口１４ｂ、および左側面吹出口１４ｃとを連通する、図３に示す本体部１１内部の空間が、本発明の空気清浄機１における通風路１０である。尚、以下の説明では、必要に応じて通風路１０における各空気吸込口１３ａ〜１３ｄ側を上流側、各空気吹出口１４ａ〜１４ｃ側を下流側として説明する。
【００１８】
空気清浄機１の本体部１１の上面には、前面パネル１２の上面部１２ａと上面吸込口１３ａの間に操作部１５が設けられている。操作部１５は、電源ボタンや運転モード切り換えボタン等の空気清浄機１を操作するボタンが配置されるとともに、空気清浄機１の運転状態や図示しない塵埃センサ等の検出部における検出結果を表示する表示部が配置されている。
【００１９】
また、図３に示すように、空気清浄機１の底部１１ｄには４個のキャスター４０（図３では、このうち２個を図示）が設けられている。４個のキャスター４０は、底部１１ｄの前面側と背面側に２個ずつ配置されるとともに、前面側と背面側の各々２個のキャスター４０は底部１１ｄの左右方向の中心を境として左右に対象となる位置に配置されており、キャスター４０が回転することで空気清浄機１が左右方向に移動可能となっている。
【００２０】
通風路１０には、上流側から下流側に向かって順に、プレフィルタ２１、集塵ユニット２２、本発明の空気清浄ユニットである脱臭ユニット２３、加湿ユニット２４、送風機２５が配置されている。また、脱臭ユニット２３と加湿ユニット２４の間に遮断部材３０が配置されている。
【００２１】
プレフィルタ２１は、例えば糸状のＰＥＴ材を編みこんで網目構造としたものであり、各空気吸込口１３ａ〜１３ｄから本体部１１内部に吸い込まれる空気に含まれる塵埃を捕捉する。
【００２２】
集塵ユニット２２は、第１電気集塵機２２ａと第２電気集塵機２２ｂとで構成されている。第１電気集塵機２２ａと第２電気集塵機２２ｂは、通風路１０におけるプレフィルタ２１と脱臭ユニット２３の間に配置される仕切板１６に上下方向に並べて配置されている。第１電気集塵機２２ａおよび第２電気集塵機２２ｂは、各々が合成樹脂材で箱型に形成された筐体を有し、各々の筐体内部には、図示しない放電電極と集塵電極が設けられている。また、第１電気集塵機２２ａおよび第２電気集塵機２２ｂは、各々の筐体前面（通風路１０の上流側に臨む面）に集塵口２２ａａおよび集塵口２２ｂａを備えている。第１電気集塵機２２ａおよび第２電気集塵機２２ｂは、集塵口２２ａａおよび集塵口２２ｂａから取り込んだ空気に含まれるプレフィルタ２１で除去できなかった細かな塵埃や花粉等を、放電電極によるコロナ放電により発生させたイオンによって帯電させ、帯電した塵埃や花粉等を集塵電極で捕捉する。
【００２３】
脱臭ユニット２３は、脱臭フィルタ２３ａと加熱部２３ｂと保持部２３ｃを有する。脱臭フィルタ２３ａは、例えば、平板材と波形に連続屈曲した屈曲材とを交互に積層してなる波形構造やハニカム構造のような多孔構造の基材を円板状に形成してなり、図示は省略するが例えばセラミックやアルミニウム等で形成された基材に臭気成分を吸着して分解する触媒層を設けたものである。加熱部２３ｂは、ＰＴＣヒータと、放熱板と、断熱材と、これらを収納するケースで構成されており、略三角形状に形成されて脱臭フィルタ２３ａの前面側および背面側の一部を覆うように配置される。
【００２４】
保持部２３ｃは、合成樹脂材で略四方形状に形成されて脱臭フィルタ２３ａと加熱部２３ｂを通風路１０中に保持するものであり、開口部２３ｃａと補強部材２３ｃｂを有する。開口部２３ｃａは、脱臭フィルタ２３ａの直径寸法に対応した直径寸法を有する貫通孔であり、脱臭フィルタ２３ａを通過した空気を通風路１０の下流側に通過させる。補強部材２３ｃｂは、合成樹脂材で断面が略四方形状の板状に形成されており、開口部２３ｃａの直径部に水平に配置されて保持部２３ｃ（開口部２３ｃａ）の変形を防ぐ。
【００２５】
脱臭フィルタ２３ａの脱臭能力を再生するときは、加熱部２３ｂにより覆われた脱臭フィルタ２３ａの一部を加熱する。図示しないモータによって脱臭フィルタ２３ａを回転させながら脱臭フィルタ２３ａを加熱することによって、脱臭フィルタ２３ａの触媒層に吸着されていた臭気成分の分解が促進され、脱臭フィルタ２３ａの脱臭能力が再生される。
【００２６】
加湿ユニット２４は、加湿フィルタ２４ａと水を貯留する貯水タンク２４ｂと枠体２４ｃを有する。加湿フィルタ２４ａは、円板状に形成されてその一部が貯水タンク２４ｂに溜められた水に浸った状態で回転軸により回転可能に支持されており、図示しないモータにより回転するようになっている。枠体２４ｃは、加湿フィルタ２４ａの外周部に設けられており、図５に示すように、枠体２４ｃの下流側は、加湿フィルタ２４ａを回転させる図示しない駆動部の動力を受けるために歯車状に形成されている。また、枠体２４ｃの上流側には図示しない汲み上げ部が一定の間隔で複数設けられており、貯水タンク２４ｂに溜められた水を汲み上げ部で汲み上げ、汲み上げた水を加湿フィルタ２４ａに供給する役目を果たす。
【００２７】
図３に示すように、加湿ユニット２４は底部１１ｄに設置されており、加湿フィルタ２４ａの略上側半分と、脱臭ユニット２３の脱臭フィルタ２３ａの略下側半分が、通風路１０における上流側から下流側に向かう方向に重なるように配置される。尚、図１に示すように、本体部１１の右側面には、加湿ユニット２４の配置に対応した位置に扉１７が設けられており、貯水タンク２４ｂに水を供給する図示しない給水タンクに水を補充する場合や、清掃・取替え等といった加湿ユニット２４のメンテナンスを行う場合には、扉１７を開閉して、給水タンクへの水の補充や加湿ユニット２４の着脱が行えるようになっている。
【００２８】
送風機２５は、ターボファン２５ａとファンモータ２５ｂを有する。ターボファン２５ａは、合成樹脂材で形成されており、ファンモータ２５ｂの出力軸に接続されている。ファンモータ２５ｂは回転数可変であり、ファンモータ２５ｂが回転することでターボファン２５ａも回転し、ターボファン２５ａの回転によって、各空気吸込口１３ａ〜１３ｄから空気清浄機１の内部へ空気が流入し、空気清浄機１の内部から各空気吹出口１４ａ〜１４ｃを経て空気が流出する。
【００２９】
遮断部材３０は、図３および図５に示すように、脱臭ユニット２３の脱臭フィルタ２３ａの下流側、かつ、加湿ユニット２４の上方左側面側に配置されている。尚、図５は、空気清浄機１を右後方斜めから見た要部外観斜視図であり、説明のためにリアパネル１４と送風機２５は図示していない。
【００３０】
遮断部材３０は合成樹脂材で形成されており、図４に示すように、支持部３１と、第１連結部３２と、第２連結部３３と、第３連結部３４と、遮蔽部３５を有する。支持部３１は、図４（Ｂ）に示すように、矢視Ｄの方向から見て略Ｌ字形状となる板状に形成されている。支持部３１は、遮断部材３０を空気清浄機１に取り付ける際に、図５に示すように補強部材２３ｃｂおよび保持部２３ｃの図示しない取付部に固定されて、通風路１０における空気の流れに対し略直交するような配置となる。
【００３１】
第１連結部３２は、横長の長方形状となる板状に形成されており、図４（Ｂ）に示すように、横方向の長さは支持部３１の横方向の長さより短く形成されている。第１連結部３２は、図４（Ａ）および（Ｂ）に示すように、支持部３１における補強部材２３ｃｂへの固定位置よりわずかに下方から上流側に延びるように形成されており、第１連結部３２の右端が支持部３１の右端に合せられるように形成されている。尚、第１連結部３２の前後方向の長さについては、後に遮蔽部３５を説明する際に言及する。
【００３２】
第２連結部３３は、図５および図７（Ｂ）に示すように、保持部２３ｃの開口部２３ｃａの半径寸法よりやや大きい曲率半径を有する円弧形状とされている。第２連結部３３は、図４（Ｂ）および（Ｃ）に示すように、支持部３１から上流側に延びるように形成されている。また、図４（Ａ）および（Ｂ）に示すように、第２連結部３３の上端は第１連結部３２の左端と接続されている。尚、第２連結部３３の前後方向の長さは、第１連結部３２の前後方向の長さと同じである。
【００３３】
第３連結部３４は、横長の長方形状となる板状に形成されており、図４（Ｂ）に示すように、横方向の長さは支持部３１の横方向の長さや第１連結部３２の横方向の長さより短く形成されている。第３連結部３４は、図４（Ａ）および（Ｂ）に示すように、支持部３１の下端から上流側に延びるように形成されており、左端が支持部３１の左端に合せられるように形成されている。また、図４（Ｂ）および（Ｃ）に示すように、第３連結部３４の右端は、第２連結部３３の下端より少し上方に接続されている。以上のように第３連結部３４を支持部３１に配置することで、第３連結部３４は支持部３１や遮蔽部３５の変形を防ぐ補強材の役目を果たす。尚、第３連結部３４の前後方向の長さは、第１連結部３２の前後方向の長さと同じである。
【００３４】
遮蔽部３５は、板状に形成されており、図４（Ｂ）に示すように、支持部３１に第１連結部３２と第２連結部３３と第３連結部３４によって支持されている。支持部３１が補強部材２３ｃｂおよび保持部２３ｃの図示しない取付部に固定されると、遮蔽部３５は通風路１０における空気の流れに対し略直交するように配置される。第１連結部３２と第２連結部３３と第３連結部３４の前後方向の長さは、遮蔽部３５が、遮蔽部３５と加湿フィルタ２４ａとの距離が加湿フィルタ２４ａの外周面に接触しない程度に近接する距離となる配置となるように定められている。また、遮蔽部３５の下端部は、図５、図６（Ｂ）および図７（Ｂ）に示すように、加湿フィルタ２４ａの外周面の形状に応じた円弧形状とされており、補強部材２３ｃｂに支持部３１を固定したときに、加湿フィルタ２４ａの枠体２４ｃの上流側を略８分の１覆うように形成されている。
【００３５】
次に、図３乃至図７を用いて、以上説明した構成を有する空気清浄機１が運転を行ったときの、各構成部品の動作と空気の流れについて説明するとともに、遮断部材３０が奏する効果について説明する。ここで、図６は、図５における断面Ｑ−Ｑを拡大した図であり、（Ａ）は遮断部材３０を設けない場合の空気の流れ（矢印Ｆ１、Ｆ２）を示し、（Ｂ）は遮断部材３０を設けた場合の空気の流れ（矢印Ｆ１、Ｆ３、Ｆ４）を示している。また、図７は、図５における断面Ｒ−Ｒを拡大した図であり、（Ａ）は遮断部材３０を設けない場合の空気の流れ（矢印Ｆ５、Ｆ６）を示し、（Ｂ）は遮断部材３０を設けた場合の空気の流れ（矢印Ｆ５、Ｆ７、Ｆ８）を示している。尚、図６および図７では、遮断部材３０が空気の流れにどのように作用するのかを説明するために必要な構成以外のものの描画を省略している。
【００３６】
空気清浄機１が運転を開始すると、送風機２５が駆動するとともに、集塵ユニット２２の第１電気集塵機２２ａおよび第２電気集塵機２２ｂに通電が開始される。また、空気清浄とともに空気の加湿を行う場合は、加湿ユニット２４の加湿フィルタ２４ａが回転を開始する。送風機２５が駆動すると、上面吸込口１３ａ、右側面吸込口１３ｂ、左側面吸込口１３ｃ、および底面吸込口１３ｄの各空気吸込口１３ａ〜１３ｄから通風路１０に空気が吸い込まれる。
【００３７】
通風路１０に吸い込まれた空気は、次の３つの空気経路で下流側（送風機２５側）に向かって流れる。１つ目の空気経路は、脱臭ユニット２３の下部と加湿ユニット２４の上部とが前後方向に重なって配置される箇所を通る経路（図６に中段経路Ｍとして描画。以降、中段経路Ｍと記載）であり、中段経路Ｍでは、プレフィルタ２１→集塵ユニット２２→脱臭ユニット２３→加湿ユニット２４の順に空気が通過する。２つ目の空気経路は、脱臭ユニット２３と加湿ユニット２４とが前後方向に重ならない箇所のうち加湿ユニット２４の上方を通る経路（図６に上段経路Ｕとして描画。以降、上段経路Ｕと記載）であり、上段経路Ｕでは、プレフィルタ２１→集塵ユニット２２→脱臭ユニット２３の順に空気が通過する。３つ目の空気経路は、脱臭ユニット２３と加湿ユニット２４とが前後方向に重ならない箇所のうち脱臭ユニット２３より下方を通る経路（図６に下段経路Ｌとして描画。以降、下段経路Ｌと記載）であり、下段経路Ｌでは、プレフィルタ２１→集塵ユニット２２→加湿ユニット２４の順に空気が通過する。
【００３８】
上述した各経路を通って通風路１０を空気が流れると、プレフィルタ２１および通電されている集塵ユニット２２では、吸い込まれた空気に含まれる塵埃や花粉が除去される。また、脱臭ユニット２３では、吸い込まれた空気に含まれる臭気成分が除去される。また、加湿ユニット２４では、吸い込まれた空気が加湿される。通風路１０を流れる際に除塵・脱臭および加湿された空気は、送風機２５の駆動によって上面吹出口１４ａ、右側面吹出口１４ｂ、および左側面吹出口１４ｃの各空気吹出口から空気清浄機１の外部に吹き出される。
【００３９】
次に、通風路１０に遮断部材３０を設けた場合の、通風路１０における空気の流れについて説明する。
【００４０】
遮断部材３０は、図３および図５を用いて先に説明したように、補強部材２３ｃｂに取り付けられることによって、脱臭ユニット２３の脱臭フィルタ２３ａの下流側であって、加湿ユニット２４の上方左側に配置される。つまり、遮断部材３０は、前述した３つの空気経路のうちの上段経路Ｕ中に配置されている。このように遮断部材３０が上段経路Ｕ中に配置されることで、上段経路Ｕを流れる空気のうち、脱臭ユニット２３を通過して下流側に向かう空気の一部が遮断部材３０の遮蔽部３５によってその流れが遮断される。
【００４１】
以下では、図６および図７を用いて、遮断部材３０の遮蔽部３５によって脱臭ユニット２３を通過して下流側に向かう空気の一部が遮断され、その結果加湿ユニット２４に流れる空気量が増加することについて詳細に説明する。
【００４２】
図６（Ａ）および図７（Ａ）に示すのは、通風路１０に遮断部材３０が設けられていない場合の空気の流れであり、図６（Ａ）では、中段経路Ｍを流れる空気を矢印Ｆ１で示し、上段経路Ｕを流れる空気を矢印Ｆ２で示している。また、図７（Ａ）では、左右方向の中央部付近すなわち脱臭フィルタ２３ａと加湿フィルタ２４ａが重ねて配置される箇所を流れる空気を矢印Ｆ５で示し、脱臭フィルタ２３ａのみ通過して加熱フィルタ２４ａの枠体２４ｃの左側を流れる空気を矢印Ｆ６で示している。ここで、上段経路Ｕを流れる空気Ｆ２や図７（Ａ）における空気Ｆ６、すなわち、脱臭フィルタ２３ａのみ通過する空気量は、加湿フィルタ２４ａが円板形状であることから、脱臭フィルタ２４ａの中心（図７でＣ／Ｌと記載）から左側に行く程多くなる、つまり、中央部から左側に行く程加湿フィルタ２４ａによって加湿される空気量が少なくなる。
【００４３】
これに対し、図６（Ｂ）および図７（Ｂ）に示すように、通風路１０に遮断部材３０が設けられている場合は、遮断部材３０の遮蔽部３５によって、図６（Ａ）における空気の流れＦ２や図７（Ａ）における空気の流れＦ６が遮断される。これにより、脱臭フィルタ２３ａのみ通過する空気量が減少する一方、図６（Ｂ）に示す空気の流れＦ３や図７（Ｂ）に示す空気の流れＦ７が発生して脱臭フィルタ２３ａと加湿フィルタ２４ａの両方を通過する空気量が増加する。尚、図６（Ａ）に示す遮蔽部３５によって遮断される空気の流れＦ２に代わり、僅かではあるが、図６（Ｂ）に示す空気の流れＦ４のように脱臭フィルタ２３ａと遮蔽部３５の間の空間を介して加湿フィルタ２４ａへと流れる。同様に、図６（Ａ）に示す遮蔽部３５によって遮断される空気の流れＦ６に代わり、僅かではあるが、図７（Ｂ）に示す空気の流れＦ８のように脱臭フィルタ２３ａと遮蔽部３５の間の空間を介して加湿フィルタ２４ａへと流れる。従って、空気の流れＦ４やＦ８で流れる空気も、加湿フィルタ２４によって加湿される空気量の増加に寄与する。
【００４４】
尚、前述したように、第２連結部３３は、開口部２３ｃａの半径寸法よりやや大きい曲率半径を有する円弧形状とされている。これにより、遮蔽部３５による、脱臭フィルタ２３ａのみ通過して下流側へと流れる空気の流れはより確実に遮断される。また、遮蔽部３５の下端部が加湿ユニット２４の枠体２４ｃの上流側を覆うように配置されている。これによっても、遮蔽部３５による、脱臭フィルタ２３ａのみ通過して下流側へと流れる空気の流れはより確実に遮断される。これらにより、加湿フィルタ２４ａを通過する空気量がさらに増加する。
【００４５】
以上説明したように、通風路１０において上段経路Ｕ中に遮断部材３０を配置することによって、図６（Ａ）の空気の流れＦ２や図７（Ａ）の空気の流れＦ６のように、脱臭フィルタ２３ａのみ通過して加湿フィルタ２４ａを通過しない空気の流れが遮断され、一方で図６（Ｂ）の空気の流れＦ３およびＦ４や図７（Ｂ）の空気の流れＦ７およびＦ８で流れる空気量が増加する。これにより、加湿フィルタ２４ａを通過する空気量を増やして、十分な加湿量を得ることができる。
【００４６】
さらには、遮断部材３０が、前述したように脱臭ユニット２３の脱臭フィルタ２３ａの下流側であって、加湿ユニット２４の上方かつ加湿フィルタ２４ａの左右方向の対象中心軸より左側に配置されているので、遮蔽部３５を大きく（例えば、加湿フィルタ２４ａの枠体２４ｃの上流側を略８分の２覆う大きさに）形成しても、加湿ユニット２４をメンテナンス等で本体部１１に着脱する際の妨げとならず、扉１７を開いてこの扉１７から加湿ユニット２４を容易に出し入れすることができる。
【００４７】
また、以上説明した実施形態では、空気清浄ユニットが脱臭ユニットである場合について説明したが、これに限るものではなく、空気清浄ユニットが加湿ユニットの上流側に配置されている集塵ユニットであってもよい。
【符号の説明】
【００４８】
１  空気清浄機
１０  通風路
１１  本体部
１７  扉
２２  集塵ユニット
２３  脱臭ユニット
２３ａ  脱臭フィルタ
２３ｂ  加熱部
２３ｃ  保持部
２３ｃａ  開口部
２３ｃｂ  補強部材
２４  加湿ユニット
２４ａ  加湿フィルタ
２５  送風機
３０  遮断部材
３１  支持部
３２  第１連結部
３３  第２連結部
３４  第３連結部
３５  遮蔽部
【図１】
2017106674.tif 000003
【図２】
2017106674.tif 000004
【図３】
2017106674.tif 000005
【図４】
2017106674.tif 000006
【図５】
2017106674.tif 000007
【図６】
2017106674.tif 000008
【図７】
2017106674.tif 000009